(57)【要約】【課題】ＤＣＦオブジェクトに組み込まれた連写ファイルを、他機器で再生した場合に、組み込まれた連写ファイルの存在に気付かないで、連写ファイルを削除してしまう問題があった。【解決手段】メモリーカードに連写ファイル（ＭＯＶファイル）を記録する時に、１コマ分の単写ファイル（ＪＰＧファイル）に、連写マークを合成して記録する。連写非対応のデジタルカメラで、連写ファイルを再生しようとすると、連写ファイルは再生されないが、ＪＰＥＧファイルが再生される。この時、ＪＰＥＧファイルに合成された連写マークが表示されることにより、連写と気付かずに削除してしまう危険性を減らすことができる。【選択図】図３
2009302708.tif 000002
【特許請求の範囲】
【請求項１】
被写体を撮像する撮像部と、
前記撮影部により連続して撮影された複数の画像データを含む連写データを生成する連写画像生成部と、
前記連写データ毎に、連写撮影を示すマークを合成した静止画データを生成する代表画像生成部と、
前記連写データおよび前記静止画データを関連付けて記録する記録部と、
を備えた画像記録装置。
【請求項２】
前記記録部は、前記連写データと前記静止画データとを単一のオブジェクト形式内に記録する請求項１に記載の画像記録装置。
【請求項３】
前記連写データに含まれる前記複数の画像データは、それぞれが連続した異なる撮影操作により撮影された画像データである請求項１に記載の画像記録装置。
【請求項４】
被写体を撮像するステップと、
連続して撮像された複数の画像データを含む連写データを生成するステップと、
前記連写ファイル毎に、連写撮影を示すマークを合成した静止画データを生成するステップと、
前記連写データおよび前記静止画データを関連付けて記録するステップと、
を含む画像記録方法。
【請求項５】
被写体を撮像する撮像部と、
前記撮影部により連続して撮影された複数の画像データを含む連写データを生成する連写画像生成部と、
前記連写データ毎に、連写撮影を示すマークを合成した静止画データを生成する代表画像生成部と、
前記連写データおよび前記静止画データを関連付けて記録する記録部と、
を備えた画像記録処理ＬＳＩ。
【発明の詳細な説明】
【技術分野】
【０００１】
本発明は、メモリーカード、光ディスクやハードディスク等の記録媒体を使って連写画像を記録する画像記録装置及び方法に関する。
【背景技術】
【０００２】
静止画像ファイルの記録フォーマットとして、ＤＣＦ（Ｄｅｓｉｇｎ  Ｒｕｌｅ  ｆｏ
ｒ  Ｃａｍｅｒａ  Ｆｉｌｅ  Ｓｙｓｔｅｍ）規格が広く使われている。ＤＣＦ規格では例えば毎秒３０枚の高速連写時のデータファイル（連写ファイル）の記録フォーマットに関して取り決めは無く、各メーカの独自仕様により実装が行われている（例えば、連写ファイルとして、ＱｕｉｃｋＴｉｍｅファイルやＡＶＩファイルなどが使用されている）。この様な連写記録が可能なカメラは、再生時において、１連続の連写に対応した代表画像を連写マーク付きで表示することにより、単写画像とは区別できる様に表示を行う。
【０００３】
また、これらの連写ファイルに対する再生互換性を連写機能を持たない他機器でも保つために、例えば特許文献１では、動画ファイル（本発明の連写ファイルに対応）を一旦記録した後でキャプチャボタンを押すと、ＤＣＦ規格に準拠した静止画ファイル（代表静止画ファイル）が生成され、他メーカのデジタルスチルカメラでも一部の画像を再生可能とするカメラの記載がある。
【０００４】
特許文献１のようなカメラにより、連写ファイルを他メーカのＤＣＦ準拠のカメラで直接は再生できない場合であっても、代表静止画ファイルを再生することにより、画像を限定的ではあるが、確認することができる。
【０００５】
また、さらに、連写ファイルと代表静止画ファイルをファイル名を同一にする（ファイルの拡張子を除く）ことにより、ＤＣＦ規格上の同一ＤＣＦオブジェクトとして取り扱いが可能となる。これにより、カメラ上で普通の削除操作を行った場合でも、連写ファイルと代表静止画ファイルの両方を一度に削除して、記録媒体上に空きスペースを作成することが可能となる。
【特許文献１】特開２００６−５８５６号公報
【発明の開示】
【発明が解決しようとする課題】
【０００６】
他メーカのカメラによる再生時において、代表静止画を再生して内容を確認し、静止画削除操作を行なう場合に、連写ファイルの存在に気付かないで、連写ファイルを（ＤＣＦオブジェクトとして）削除してしまう問題があった。
【０００７】
また、自メーカの将来機種で、新たな記録方式による画像ファイル記録を導入する場合に、ファイル名が同じ代表静止画ファイルを記録する様にすると、過去機種と新機種の間で、新規画像ファイルの存在に気付かないで、新規画像ファイルを削除してしまう問題があった。
【０００８】
そこで本発明の画像記録装置は、連写ファイル（もしくは新規画像ファイル）と代表画像ファイルをＤＣＦオブジェクトとして記録する場合に、他メーカのカメラ、もしくは、従来機種のカメラ上において、誤って連写ファイル（もしくは新規画像ファイル）を削除することを起りにくくすることを目的とする。
【課題を解決するための手段】
【０００９】
前記従来の課題を解決するために、本発明の画像記録装置は、被写体を撮像する撮像部と、前記撮影部により連続して撮影された複数の画像データを含む連写データを生成する連写画像生成部と、前記連写データ毎に、連写撮影を示すマークを合成した静止画データを生成する代表画像生成部と、前記連写データおよび前記静止画データを関連付けて記録する記録部を備える。
【発明の効果】
【００１０】
本発明の画像記録装置によれば、撮影した連写ファイルを、直接再生できない他機器で簡易確認の再生を行ったり、削除を行ったりする場合に、簡易再生確認と削除処理を可能としながらも、連写ファイルの誤消去を防止することが可能になる。
【発明を実施するための最良の形態】
【００１１】
以下、本発明の実施の形態１について図面を参照しながら説明する。
【００１２】
図１は、本発明の実施の形態１にかかる画像記録再生装置２００のブロック構成図である。画像入力部１００は、撮像部（図示せず）等で構成され、外部から画像を取りこんで、画像データを生成し、出力する。連写画像生成部１０１は、画像入力部１００からの画像データを基に連写データを生成する。代表画像生成部１０２は、連写画像生成部１０１で生成される連写データに対応する代表静止画に、連写を示すマークを合成した代表静止画像データを生成する。記録部１０３は、連写画像生成部１０１で生成された連写データ、及び連写画像生成部１０１で生成された代表静止画像データをメモリカード１２０に記録する。メモリカード１２０は、記録媒体の一種である半導体メモリカードである。
【００１３】
再生部１１２は、メモリカード１２０上の画像ファイルを読出し、フォルダ構造やファイルフォーマットを解析し、画像データとして出力する。画像再生部１１１は、再生部１１２からの画像データを復号し、出力する。画像表示部１１０は、映像記録再生装置２００に内蔵されたディスプレイであり、画像再生部１１１が出力した画像データを表示する。なお、本実施の形態では、画像表示部１１０が映像記録再生装置２００に内蔵されたディスプレイとしたが、これに限らず、テレビ等の外部表示装置に画像データを表示しても良く、この場合、画像表示部１１０は、外部表示装置への出力端子となる。
【００１４】
このように構成された画像記録再生装置２００について、その動作を説明する。
【００１５】
画像記録時は、画像入力部１００から入力した画像信号から連写画像生成部１０１において連写ファイルを生成し、また、代表画像生成部１０２において代表静止画像ファイルを生成する。記録部１０３において、連写ファイルおよび代表静止画像ファイルを同一ファイル名ＲＥＮＳ０００１としてメモリカード１２０へ記録する。連写ファイルは、毎秒４枚のペースで、複数のモーションＪＰＥＧデータを格納するクイックタイムファイルフォーマットで記録する。代表静止画像ファイルは最初の静止画像に連写を示すマークを合成した画像ファイルをＤＣＦ基本ファイル形式で記録する。
【００１６】
画像再生時は、再生部１１２がメモリカード上の画像ファイルを読出し、再生部１１２においてフォルダ構造やファイルフォーマットを解析し、さらに画像再生部１１１においてファイルフォーマットに対応した復号を行い、画像表示部１１０へ出力する。画像表示部１１０は画像記録再生装置に内蔵されたディスプレイ、又はテレビへ接続するためのビデオ信号端子を有する。ビデオ信号端子に接続されたテレビでも静止画像を表示できる。
【００１７】
図２は本発明の実施の形態１にかかる画像記録再生装置の記録媒体のファイル構成を示す。ルートディレクトリの下にディレクトリＤＣＩＭ￥１００ＩＭＡＧＥが記録されている。１００ＩＭＡＧＥディレクトリの下には代表静止画像ファイル（例：ＲＥＮＳ０００１．ＪＰＧ，ＲＥＮＳ０００２．ＪＰＧ）および連写ファイル（例：ＲＥＮＳ０００１．ＭＯＶ，ＲＥＮＳ０００２．ＭＯＶ）が記録される。また、ＲＥＮＳ０００１．ＪＰＧとＲＥＮＳ０００１．ＭＯＶ、および、ＲＥＮＳ０００２．ＪＰＧとＲＥＮＳ０００２．ＭＯＶは、それぞれ、同一ファイル名であり、それぞれが１個のＤＣＦオブジェクト（＃１、および＃２）を構成する。
【００１８】
連写ファイルと代表静止画像ファイルとを同一ファイル名とし、１個のＤＣＦオブジェクトとして構成することにより、カメラ上で普通の削除操作を行った場合でも、連写ファイルと代表静止画像ファイルの両方を一度に削除することができ、記録媒体上に空きスペースを作成することが可能となる。
【００１９】
また、連写ファイルと代表静止画像ファイルとを同一ファイル名とすることで、連写ファイルに対応した機器では、連写ファイルの再生を可能とし、連写ファイルに非対応の機器では、対応する代表静止画像ファイルの再生を可能とする。
【００２０】
図３は、ＲＥＮＳ０００１．ＪＰＧおよびＲＥＮＳ０００１．ＭＯＶの画像内容を示す。ＲＥＮＳ０００１．ＭＯＶは毎秒４コマの連写画像および音声データを含む。ＲＥＮＳ０００１．ＪＰＧは連写画像の先頭画像５０１を含み、さらに、画像の右上に、連写を示すマーク４００が合成された画像５００が記録される。
【００２１】
図４は、ＲＥＮＳ０００１．ＪＰＧファイルのデータ構造を示す。このファイルはＤＣＦ規格のＤＣＦ基本ファイルに準拠している。ＤＣＦ基本ファイルはＳＯＩ（スタートオブイメージ）、ＡＰＰ１（アプリケーションデータセグメント１）、ＤＣＦ基本主画像、ＥＯＩ（エンドオブイメージ）から構成される。また、ＡＰＰ１は、ＡＰＰ１マーカ、付属情報、サムネイルデータから構成される。また、サムネイルデータは、ＳＯＩ、サムネイル画像、ＥＯＩから構成される。図３に示した画像５００を、ＤＣＦ基本主画像として、および、ＡＰＰ１内のサムネイル画像として保持する。
【００２２】
以上の構成により、連写ファイルを直接再生できない機器（デジタルカメラ、カムコーダ、ＤＶＤレコーダ、ＴＶ等）においては、ＤＣＦオブジェクト＃１に対しては、ＲＥＮＳ０００１．ＪＰＧが再生される。この時、連写マークが合成された画像が再生される。これにより、連写が別途記録されていることをユーザに伝えることができる。よって、ユーザが、削除操作を行う際に、連写ファイルの存在に気付かないまま、連写ファイルまで削除することを防止できる。
【００２３】
また、連写ファイルを直接再生できない機器のインデックス表示においても、連写マークが合成されたサムネイル画像が再生される。これにより、連写が別途記録されていることをユーザに伝えることができる。よって、ユーザが、削除操作を行う際に、連写ファイルの存在に気付かないまま、連写ファイルまで削除することを防止できる。
【００２４】
また、将来開発する機器においても、新記録フォーマットを含むＤＣＦオブジェクトとして同様に記録した場合であっても、新記録フォーマットを含むことを示すマークを、画像に合成して記録することにより、同様の誤消去処理を防止することができる。
【００２５】
なお、本実施の形態では毎秒４枚の連写撮影を例にとり説明を行ったが、スローモーション撮影（１秒間の出来事を３秒として記録するなど）、より高速な連写撮影（毎秒３０枚以上）、動画撮影（毎秒６０フィールド）などの撮影についても適用できる。
【００２６】
また、広範囲の風景を撮影する際に、ユーザが複数枚の静止画像として少しずつアングルを変えて撮影操作を行うことにより、小分けに撮影しておき、帰宅後の画像編集作業で合成することによりパノラマ写真を得るような撮影に用いても良い。この場合、小分けに撮影される複数の画像を、ひとつの画像ファイルとして保存する場合には、この画像ファイルは本実施例の連写画像に対応付けが可能である。この場合、合成されるマークは、パノラマ合成用の連写画像を示すマークであっても良い。またさらに、カメラの露出条件（露出補正値、シャッタースピード、もしくは、絞り値など）を自動的に前後変えて連写撮影を行う場合（ブラケット撮影などの場合）に用いても良い。この場合、露出条件を変えて撮影された複数の画像が、本実施例の連写ファイルに対応する。
【００２７】
なお、本実施の形態において、記憶媒体はメモリカードであるものとしたが、特にこれに限定するものではなく、例えばＤＶＤ−ＲＡＭ、ＭＯ、ＤＶＤ−Ｒ、ＤＶＤ−ＲＷ、ＤＶＤ＋ＲＷ、ＣＤ−Ｒ、ＣＤ−ＲＷ等の光ディスクやハードディスク等のディスク形状を有する記録媒体であっても良い。また、内蔵型半導体メモリであっても良い。
【００２８】
なお、本実施例では連写ファイルと代表静止画ファイルを別々のファイルとして記録したが、ひとつの連写ファイル内部に、代表静止画像データを格納して記録しても良い。ただし、この場合、別途ＤＣＦサムネイルファイル（横１６０画素ｘ縦１２０画素の画像）を、他機器再生互換を保つために、記録することが望ましい。
【００２９】
なお、本実施例では、連写ファイルはクイックタイムファイルフォーマットとしたが、ＡＶＩファイル、ＭＰ４ファイル、ＭＪＰＥＧ２０００ファイル、ＭＰＥＧファイルなどで合ってもよい。
【００３０】
なお、本実施例では連写ファイルは音声データも含むものとしたが、必ずしも含まなくとも良い。
【００３１】
なお、本実施例では代表静止画像は、連写画像の先頭の画像としたが、他の画像（例えば１秒後の画像や、ユーザが決めた画像）であっても良い。
【００３２】
なお、本実施例では連写を示すマークを図３に例示したが、別のマークであっても良い。例えば、連写を示す文字であっても良い。
【００３３】
なお、本実施例では、ＤＣＦ規格に準拠して記録するものとしたが、別の規格に準拠して記録する場合で合っても良い。
【００３４】
なお、本実施例では、連写データおよび代表画像をひとつのＤＣＦオブジェクトとして記録する場合を説明したが、これらを関連付けて記録できれば異なる記録ルールに従ったものであっても良い。
【産業上の利用可能性】
【００３５】
本発明にかかる画像記録装置、および、方法は、撮影した連写ファイルを、直接再生できない他機器で簡易確認の再生を行ったり、削除を行ったりする場合に、簡易再生確認と削除処理を可能としながらも、連写ファイルの誤消去を防止することが可能になるので、デジタルスチルカメラ、カムコーダとして有用である。
【図面の簡単な説明】
【００３６】
【図１】本発明の一実施の形態にかかる画像記録再生装置の構成図
【図２】本発明の一実施の形態にかかるメモリカード上のフォルダとファイルの構成図
【図３】本発明の一実施の形態にかかる代表静止画ファイルと連写ファイルの画像構成例を示す図
【図４】代表静止画ファイルのデータ構造を示す図
【符号の説明】
【００３７】
１００    画像入力部
１０１    連写画像生成部
１０２    代表画像生成部
１０３    記録部
１１０    画像表示部
１１１    画像再生部
１１２    再生部
１２０    メモリカード
４００    連写マーク
５００    連写マークを合成した代表静止画
【図１】
2009302708.tif 000003
【図２】
2009302708.tif 000004
【図３】
2009302708.tif 000005
【図４】
2009302708.tif 000006